(57)【要約】【課題】水受けタンクを係止する係止突起の取付性を向上させ、かつ汎用性を向上し得るキャビネットを提供する。【解決手段】上方側に配設される天板３０の水槽３１に吐水する吐水ヘッド３８を先端に接続し該吐水ヘッドとともに引き出し自在とされたホース３９を収納するキャビネット１０であって、背板部１６には、該背板部から突出するように設けられる少なくとも二つの係止突起２０に係止されて前記ホースの伝え水を受ける水受けタンク１８を複数の取付位置に取り付け可能なように、前記係止突起が取り付けられる複数の下穴１６ａが設けられている。【選択図】図１
2014196604.tif 000002
【特許請求の範囲】
【請求項１】
上方側に配設される天板の水槽に吐水する吐水ヘッドを先端に接続し該吐水ヘッドとともに引き出し自在とされたホースを収納するキャビネットであって、
背板部には、該背板部から突出するように設けられる少なくとも二つの係止突起に係止されて前記ホースの伝え水を受ける水受けタンクを複数の取付位置に取り付け可能なように、前記係止突起が取り付けられる複数の下穴が設けられていることを特徴とするキャビネット。
【請求項２】
請求項１において、
前記係止突起は、前記背板部の厚さ方向に貫通する貫通孔が設けられ外径方向に拡開可能とされ前記下穴に嵌め込まれる取付部と、該取付部の貫通孔の開口縁に当接される鍔状部の一方側に該取付部の貫通孔に挿入されて該取付部を拡開させる挿入部を設け、該鍔状部の他方側に前記水受けタンクを係止する係止部を設けた突起本体部と、を備えていることを特徴とするキャビネット。
【発明の詳細な説明】
【技術分野】
【０００１】
本発明は、吐水ヘッドを先端に接続しこの吐水ヘッドとともに引き出し自在とされたホースを収納するキャビネットに関する。
【背景技術】
【０００２】
従来より、上方側に配設される天板に設けられたシンク（流し）や洗面ボウル等の水槽に吐水する吐水ヘッドを先端に接続しこの吐水ヘッドとともに引き出し自在とされたホースを収納するキャビネットを備えた流し台や洗面化粧台等の水廻り家具が知られている。
このような水廻り家具のキャビネット内部には、ホースからの伝え水を受けるための水受けタンクが設けられる。このような水受けタンクは、キャビネットの裏板から突出した一対の係止金具に水受けタンクに設けられた係止孔を係止させることで、キャビネットに取り付けられる構造とされている（例えば、下記特許文献１参照）。
【先行技術文献】
【特許文献】
【０００３】
【特許文献１】特開２０００−１７９０２０号公報
【発明の概要】
【発明が解決しようとする課題】
【０００４】
ところで、このような水廻り家具は、キャビネットの上方側に配設される天板の水槽の種類や、吐水ヘッド等を備えた水栓の種類、水栓の立設位置、キャビネットの収納態様（開き収納や抽斗収納）、キャビネット内の配管態様（床給水や壁給水）等によって、キャビネットの裏板への水受けタンクの取付位置が制限される。そのため、個々の水廻り家具において水受けタンクの取付位置を異ならせる必要が生じる場合が多々ある。このような種々の取付位置に対応させて上記のような一対の係止金具を裏板に設けたキャビネットをそれぞれ製造すれば、管理が複雑になるという問題がある。または、上記のような種々の取付位置に対応させて、上記のような一対の係止金具を施工現場において裏板に取り付けることも考えられるが、比較的に狭いキャビネット内での作業となり、係止金具を正確な位置に取り付け難くなるということも考えられる。
【０００５】
本発明は、上記実情に鑑みてなされたものであり、水受けタンクを係止する係止突起の取付性を向上させ、かつ汎用性を向上し得るキャビネットを提供することを目的とする。
【課題を解決するための手段】
【０００６】
上記目的を達成するために、本発明に係るキャビネットは、上方側に配設される天板の水槽に吐水する吐水ヘッドを先端に接続し該吐水ヘッドとともに引き出し自在とされたホースを収納するキャビネットであって、背板部には、該背板部から突出するように設けられる少なくとも二つの係止突起に係止されて前記ホースの伝え水を受ける水受けタンクを複数の取付位置に取り付け可能なように、前記係止突起が取り付けられる複数の下穴が設けられていることを特徴とする。
【０００７】
本発明においては、前記係止突起は、前記背板部の厚さ方向に貫通する貫通孔が設けられ外径方向に拡開可能とされ前記下穴に嵌め込まれる取付部と、該取付部の貫通孔の開口縁に当接される鍔状部の一方側に該取付部の貫通孔に挿入されて該取付部を拡開させる挿入部を設け、該鍔状部の他方側に前記水受けタンクを係止する係止部を設けた突起本体部と、を備えていてもよい。
【発明の効果】
【０００８】
本発明に係るキャビネットは、上述のような構成としたことで、水受けタンクを係止する係止突起の取付性を向上させ、かつ汎用性を向上させることができる。
【図面の簡単な説明】
【０００９】
【図１】本発明の一実施形態に係るキャビネットの一例を備えた洗面化粧台の一例を模式的に示す概略正面図である。
【図２】（ａ）は、同洗面化粧台の一例を模式的に示す概略平面図、（ｂ）は、同キャビネットに取り付けられる水受けタンクの一例を模式的に示す概略背面図である。
【図３】（ａ）、（ｂ）は、図２（ａ）のＸ−Ｘ線矢視に対応させた概略縦断面図である。
【図４】（ａ）は、図１のＹ−Ｙ線矢視に対応させた一部破断概略横断面図、（ｂ）及び（ｃ）は、いずれも同キャビネットに取り付けられる係止突起の一例の取付手順の一例を模式的に示し、（ａ）に対応させた一部破断概略横断面図である。
【発明を実施するための形態】
【００１０】
以下に本発明の実施の形態について、図面に基づいて説明する。
なお、一部の図では、他図に付している詳細な符号の一部を省略している。また、キャビネットに対面した状態を基準として、手前側を前方、その逆側を後方として説明する。
【００１１】
図１〜図４は、本実施形態に係るキャビネットの一例を模式的に示す図である。
本実施形態に係るキャビネット１０は、図１及び図３に示すように、水槽３１を設けた天板（カウンター）３０が上方側に配設される水廻り家具１のキャビネット本体（家具本体）を構成する。本実施形態では、キャビネット１０と、キャビネット１０の上方側に配設される水槽３１としての洗面ボウル３１を設けた天板３０と、を備えた水廻り家具１としての洗面化粧台１を例示している。
この洗面化粧台１は、例えば、住居等の建物内の洗面スペースに配設される。また、本実施形態では、この洗面化粧台１を、図３に示すように、床２上に設置される床置き型としている。また、この洗面化粧台１は、壁３に沿わせて設置される。また、本実施形態では、単一のキャビネット１０と単一の天板３０とによって構成した洗面化粧台１を例示している。
【００１２】
天板３０は、図２（ａ）に示すように、その平面視略中央部に洗面ボウル３１を設けた構成とされている。
洗面ボウル３１は、図１及び図２（ａ）に示すように、上方側に向けて開口した形状とされている。図例では、平面視略矩形状とされた洗面ボウル３１を例示している。洗面ボウル３１の底部には、排水口が設けられており、この排水口には、図１及び図３に示すように、排水管３２が接続されている。また、この排水口を開閉する排水栓を操作する操作部３２ａが設けられている。また、洗面ボウル３１には、オーバーフロー排水口が設けられており、このオーバーフロー排水口には排水管３３が接続されている。なお、この排水管３３は、排水管３２に接続するようにしてもよい。また、洗面ボウル３１は、天板３０に一体的に設けられたものとしてもよい。または、別体とされた洗面ボウル３１を平板状とされた天板３０に設けた開口に組み込んだ構成としてもよい。
【００１３】
また、洗面化粧台１は、図１及び図３に示すように、洗面ボウル３１に吐水する吐水ヘッド３８を有した水栓具３４を備えている。
水栓具３４は、天板３０上に突出するように設けられる水栓本体部３６と、給水・給湯源に接続され吐水ヘッド３８へ給水・給湯する給水・給湯管３５と、を備えている。また、水栓具３４は、水栓本体部３６に対して出し入れ自在とされ、吐水ヘッド３８を先端に接続したホース３９を備えている。
給水・給湯管３５は、床給水や壁給水等の給水・給湯態様に応じて、種々の配管態様とされる。
【００１４】
水栓本体部３６の内部には、この給水・給湯管３５とホース３９の基端とを接続する接続部が設けられている。また、水栓本体部３６には、吐水量を調節する操作部３７が設けられている。
また、水栓本体部３６には、図１及び図３に示すように、洗面ボウル３１側に開口し、ホース３９の吐水ヘッド３８が係合されるホルダー部３６ａが前方に向けて突出するように設けられている。
この水栓本体部３６は、洗面ボウル３１の後方側に設けられる。図例では、水栓本体部３６を、洗面ボウル３１後方側の天板３０の左右方向略中央に設けた例を示している。
なお、水栓本体部３６を、天板３０の平板状とされた部位に設けずに、洗面ボウル３１の外周縁部等に設けるようにしてもよい。
【００１５】
吐水ヘッド３８は、図３（ａ）に示すように、そのホルダー部３６ａ側の部位が、ホルダー部３６ａの開口縁に当接される。なお、吐水ヘッド３８は、シャワー吐水及び整流（ストレート）吐水の両方または一方が可能な構成としてもよい。また、シャワー吐水及び整流（ストレート）吐水の切り替えを行う操作部を吐水ヘッド３８等に設けるようにしてもよい。
ホース３９は、可撓性を有している。また、ホース３９は、水栓本体部３６のホルダー部３６ａの開口を介して水栓本体部３６内に挿通されている。また、ホース３９の先端側は、ホルダー部３６ａの開口から洗面ボウル３１側に引き出し自在とされている。
また、ホース３９は、その途中部位が水栓本体部３６の下端開口から垂れ下がるように露出し、二つ折り状に配置される。このように二つ折り状とされたホース３９の下端は、ホース３９のホルダー部３６ａに対する出し入れを伴い上下方向に移動する。
【００１６】
なお、このホース３９は、図３（ｂ）に示すように、ホルダー部３６ａの開口から最大限引き出された状態でも、ホース３９の途中部位が水栓本体部３６の下端開口から垂れ下がるように露出し、二つ折り状に配置される。また、このように最大限引き出されたホース３９の更なる引き出しを防止するストッパー部等が適所に設けられている。
また、このホース３９は、ホース３９をホルダー部３６ａの開口から最大限引き出した状態で、洗面ボウル３１上で洗髪等が可能なように構成されている。
【００１７】
キャビネット１０は、図１及び図３に示すように、左右の側板部１４，１４と、底板部１５と、背板部１６と、を備えている。このキャビネット１０は、これら両側板部１４，１４、底板部１５及び背板部１６によって、前方側及び上方側に向けて開口した構造とされている。このキャビネット１０の上方側開口が天板３０によって封止され、この天板３０並びにキャビネット１０の両側板部１４，１４、底板部１５及び背板部１６によって、前方開口の収納空間が形成される。
【００１８】
また、キャビネット１０は、前方開口を閉鎖する前板部１１，１１を備えている。
本実施形態では、図１に示すように、それぞれの前板部１１，１１を、両開き状の扉１１，１１とし、キャビネット１０の収納態様を開き収納としている。なお、図１では、扉１１，１１を開放した状態を図示し、図２（ａ）及び図３では、扉１１，１１を閉鎖した状態を図示している。
これら扉１１，１１は、それぞれの一端部をそれぞれに近接する側の側板部１４，１４の前端部に回動部材１１ａ，１１ａを介して回動自在に連結されており、キャビネット１０の前方開口を開閉する構成とされている。
【００１９】
また、本実施形態では、図１及び図３に示すように、両側板部１４，１４の上端部にこれら両側板部１４，１４間に架け渡すように洗面ボウル３１の前方側を覆う幕板１２を設けている。この幕板１２は、閉鎖状態とされた扉１１，１１の上端部の後方側に位置するように設けられている。また、この幕板１２の上下寸法は、洗面ボウル３１の上下寸法と略同寸法とされている。
また、本実施形態では、キャビネット１０の下端部前面側に蹴込みスペースを設けるように、扉１１，１１の上下寸法を、キャビネット１０の上下寸法よりも小さい寸法としている。また、底板部１５をこの蹴込みスペースに応じた高さ位置となるように設けている。
また、この蹴込みスペースの前面を構成する蹴込み板１３を設けている。この蹴込み板１３は、底板部１５の前端部の下面に当接され、両側板部１４，１４間に架け渡されるように設けられている。なお、このような態様に代えて、当該キャビネット１０の下方側に台輪等を設けたような態様としてもよい。
【００２０】
底板部１５は、両側板部１４，１４間に架け渡されている。また、底板部１５は、その後端と背板部１６との間に開口を設けるように、その前後寸法をキャビネット１０の前後寸法よりも小さい寸法としている。
また、この底板部１５の後端と背板部１６との間の開口に、この開口を覆う覆い板１７が設けられている。なお、この覆い板１７に、排水管３２の挿通孔を設けるようにしてもよい。
【００２１】
背板部１６は、両側板部１４，１４の後端部間に架け渡されている。また、背板部１６は、その上端と天板３０の下面との間に開口を設けるように、その上下寸法をキャビネット１０の収納空間の上下寸法よりも小さい寸法としている。このような構成とすれば、見栄えを然程損なうことなく低コスト化を図ることができる。つまり、当該キャビネット１０が用いられる洗面化粧台１は、壁付け設置されるものであるので、このような開口があった場合にも背面側においては露出するようなことがなく、また、前方側からも洗面ボウル３１等によって上記開口が目立ち難い。図例では、背板部１６の上端が正面視して排水管３２の上下方向途中部位の高さに位置するような態様とした例を示しているが、正面視して洗面ボウル３１の底部よりも上側に位置するような態様としてもよい。
また、本実施形態では、背板部１６の上下寸法を、底板部１５の前後寸法と同寸法としている。また、底板部１５及び背板部１６を、略同厚さ寸法としている。つまり、本実施形態では、背板部１６と底板部１５とを同寸の板状材からなるものとしている。このような構成とすれば、生産性を向上させることができる。なお、背板部１６と底板部１５とを、同一部材としてもよい。これによれば、これら底板部１５及び背板部１６を区別することなく取り扱うことができ、取り扱い性を向上させることができる。
【００２２】
この背板部１６には、図１及び図３に示すように、この背板部１６から突出するように設けられる少なくとも二つの係止突起２０に係止されて、上記したホース３９の伝え水を受ける水受けタンク１８が取り付けられる。上記したホース３９の途中部位は、図３に示すように、水栓本体部３６の下端開口からキャビネット１０内に垂れ下がるように配置され、上記収納空間の後方側の洗面ボウル３１と背板部１６との間に収納される。
この水受けタンク１８は、洗面ボウル３１や吐水ヘッド３８等を備えた水栓具３４の種類や、水栓本体部３６の立設位置、キャビネット１０の収納態様（開き収納や抽斗収納）、キャビネット１０内の配管態様（床給水や壁給水）等に対応させて、背板部１６に取り付けられる。
また、水受けタンク１８は、ホース３９の一部を収容するように背板部１６に取り付けられる。また、この水受けタンク１８は、図３（ｂ）に示すように、最大限引き出された状態におけるホース３９の二つ折り状とされた少なくとも下端部を収容するように背板部１６に取り付けられるものとしてもよい。
【００２３】
水受けタンク１８は、図１、図２（ｂ）及び図３に示すように、四周側面部と底部とを有した上方に向けて開口した形状とされている。この水受けタンク１８の上方開口がホース３９の受け入れ口となる。また、水受けタンク１８は、前後寸法を比較的に小さくした薄型の形状とされている。
水受けタンク１８の後方側面部には、図２（ｂ）に示すように、少なくとも二つの係止突起２０に係止される複数の被係止部１９が設けられている（図４（ａ）も参照）。本実施形態では、水受けタンク１８の後方側面部の上端部に、二つの被係止部１９，１９を左右に間隔を空けて設けた例を示している。また、本実施形態では、これら二つの被係止部１９，１９を、上下方向で略同高さ位置となるように設けている。つまり、本実施形態では、この水受けタンク１８を係止する二つの係止突起２０，２０が背板部１６に取り付けられることとなる。
【００２４】
また、本実施形態では、水受けタンク１８は、係止突起２０に対して着脱自在に係止される構成とされている。
また、本実施形態では、これら被係止部１９，１９を、水受けタンク１８の後方側面部の厚さ方向に貫通する係止孔１９，１９としている。これら係止孔１９，１９は、互いに略同様の構成とされている。本実施形態では、この係止孔１９を、大径状部１９ａと、この大径状部１９ａよりも小径状とされ、大径状部１９ａの上方側に連なるように形成された小径状部１９ｂと、を設けたダルマ孔状としている。図例では、大径状部１９ａを、後方側面部の厚さ方向に見て略矩形状とし、小径状部１９ｂを、後方側面部の厚さ方向に見て略円形状とした例を示している。
【００２５】
なお、水受けタンク１８の底部に、内部に溜まった水を排出する排水口を設けてもよい。また、水受けタンク１８を背板部１６に取り付けた状態で、キャビネット１０外に排水可能なように、排水口に更に排水ホースを接続した構成としてもよい。また、水受けタンク１８を、水受けタンク１８内に貯留された水等の水位等の視認が可能な構成としてもよい。例えば、水受けタンク１８を、透明な合成樹脂系材料等から形成されたものとしてもよい。また、水受けタンク１８の外周面等に、水受けタンク１８内に貯留された水等の排水時期の目安となるライン等の目印を設けるようにしてもよい。
【００２６】
キャビネット１０の背板部１６には、この水受けタンク１８を複数の取付位置に取り付け可能なように、図１及び図４に示すように、係止突起２０が取り付けられる複数の下穴１６ａが設けられている。
これら複数の下穴１６ａは、水受けタンク１８の二つの係止孔１９，１９に係止する係止突起２０，２０が取り付けられる下穴１６ａ，１６ａ対間の寸法（穴心間の寸法）が水受けタンク１８の二つの係止孔１９，１９間の寸法（孔心間の寸法）と略同寸法となるように設けられている。
これら複数の下穴１６ａは、それぞれ前方側（キャビネット１０の収納空間側）に向けて開口するように背板部１６に設けられている。
本実施形態では、これら下穴１６ａを、背板部１６の厚さ方向に貫通させずに設けた例を示している。なお、このような態様に代えて、下穴１６ａを背板部１６の厚さ方向に貫通するように設けてもよい。
【００２７】
また、本実施形態では、図１に示すように、これら複数の下穴１６ａを、水受けタンク１８を左右方向に複数の取付位置に取り付け可能なように設けている。また、本実施形態では、これら複数の下穴１６ａを、水受けタンク１８を上下方向に複数の取付位置に取り付け可能なように設けている。また、本実施形態では、これら複数の下穴１６ａを、水受けタンク１８を左右方向の複数の異なる取付位置に取り付け可能なように、かつ上下方向の複数の異なる取付位置に取り付け可能なように設けている。
図例では、これら複数の下穴１６ａを、水受けタンク１８を左右方向の２箇所の異なる取付位置に取り付け可能なように、かつ水受けタンク１８を上下方向の３箇所の異なる取付位置に取り付け可能なように設けている。つまり、これら複数の下穴１６ａを、水受けタンク１８を、６箇所の取付位置に取付可能なように設けている。
【００２８】
また、本実施形態では、水受けタンク１８を左右方向の異なる取付位置に取り付け可能とする複数の下穴１６ａを、背板部１６の上下方向において同位置となるように設けている。つまり、水受けタンク１８を左右方向の異なる取付位置に取り付け可能とする複数の下穴１６ａを、左右方向に一列状に設けている。また、本実施形態では、これら左右方向に一列状に設けた複数の下穴１６ａを、左右方向に略等間隔を空けて設けている。つまり、これら左右方向に一列状に設けた複数の下穴１６ａ間の寸法を、水受けタンク１８の二つの係止孔１９，１９間の寸法と略同寸法としている。これにより、水受けタンク１８を左右方向の異なる取付位置に取り付け可能とする相異なる下穴１６ａ，１６ａ，１６ａ，１６ａ対の互いに近接する側の下穴１６ａ，１６ａ間の寸法を、係止孔１９，１９間の寸法と異ならせた場合と比べて、下穴１６ａの個数を少なくすることができる。
【００２９】
また、本実施形態では、水受けタンク１８を上下方向の異なる取付位置に取り付け可能とする複数の下穴１６ａを、背板部１６の左右方向において同位置となるように設けている。つまり、水受けタンク１８を上下方向の異なる取付位置に取り付け可能とする複数の下穴１６ａを、上下方向に一列状に設けている。また、本実施形態では、これら上下方向に一列状に設けた複数の下穴１６ａを、上下方向に略等間隔を空けて設けている。図例では、上下方向の間隔を係止孔１９，１９間の寸法よりも小さくした例を示しているが、係止孔１９，１９間の寸法と略同寸法としたり、これよりも大きくしてもよい。
【００３０】
また、本実施形態では、これら複数の下穴１６ａを、正面視して、背板部１６の左右方向の一方側の上側部に設けた例を示している。つまり、複数の下穴１６ａを、背板部１６の面域方向の一部に偏在させるように設けている。このような構成とすれば、これら複数の下穴１６ａが設けられた部位において水受けタンク１８の取付位置を比較的に細かく調整するようなこともできる。
図１では、６箇所の異なる取付位置のうち、左右方向中央寄り中段に水受けタンク１８を取り付けた例を実線で示し、左右方向外方寄り下段に水受けタンク１８を取り付けた例を二点鎖線で示している。
【００３１】
上記した背板部１６の下穴１６ａに取り付けられる二つの係止突起２０，２０は、互いに同様の構成とされている。
本実施形態では、図４に示すように、係止突起２０は、下穴１６ａに嵌め込まれる取付部２１と、水受けタンク１８を係止する係止部２８を設けた突起本体部２５とを備えている。
取付部２１には、背板部１６の厚さ方向に貫通する貫通孔２２が設けられている。また、取付部２１は、外径方向に拡開可能とされている。
本実施形態では、取付部２１の一端側に、背板部１６の前面に当接される鍔状の当接部２４を設けており、この当接部２４に連なるように設けられ、下穴１６ａに嵌め込まれる嵌込部２３を外径方向に拡開可能としている。
貫通孔２２は、挿入方向先側に向かうに従い、その内径が小さくなるように形成されている。
嵌込部２３は、略円柱状とされている。また、嵌込部２３には、軸方向に延び、挿入方向先端において開口する複数のスリットが貫通孔２２に連通するように放射状に形成されている。
【００３２】
また、嵌込部２３の外周には、外周面から外径方向に向けて突出するように爪状部２３ａが設けられている。また、この爪状部２３ａは、嵌込部２３の軸方向に沿って間隔を空けて設けられた複数の爪部から構成される。
この嵌込部２３の拡開していない状態における外径は、図４（ｂ）に示すように、下穴１６ａの内径と略同径または該内径よりも小さく形成されている。また、嵌込部２３は、図４（ｃ）に示すように、拡開状態における外径が下穴１６ａの内径よりも大きくなるように拡開可能とされている。
また、当接部２４は、嵌込部２３の貫通孔２２の開口縁の全周に亘って外径方向に向けて突出するように設けられている。また、この当接部２４の反挿入方向側面における貫通孔２２の開口縁には、反挿入方向に向けて開口する凹段部２４ａが設けられている。
【００３３】
突起本体部２５は、図４に示すように、取付部２１の貫通孔２２の開口縁に当接される鍔状部２７の一方側に、取付部２１の貫通孔２２に挿入されて取付部２１を拡開させる挿入部２６を設けた構成とされている。また、係止部２８を、鍔状部２７の他方側に設けている。
本実施形態では、突起本体部２５を、これら挿入部２６、鍔状部２７及び係止部２８を、軸方向に沿ってこの順に一体的に略同軸状に形成した構成としている。
挿入部２６は、鍔状部２７から挿入方向先側に向けて突出するように設けられている。また、この挿入部２６の先端部の径は、嵌込部２３の貫通孔２２の開口側の内径に応じた寸法とされている。また、この挿入部２６の先端部の径は、拡開していない状態における嵌込部２３の貫通孔２２の挿入方向先側の内径よりも大きい寸法とされている。このような構成により、取付部２１の貫通孔２２に挿入部２６を挿入させれば、嵌込部２３が拡開する。
【００３４】
鍔状部２７は、嵌込部２３の貫通孔２２よりも大径とされている。
この鍔状部２７は、取付部２１の当接部２４の凹段部２４ａに収容される。
この鍔状部２７の反挿入部側には、反挿入方向に向けて突出するように、係止部２８が設けられている。この係止部２８は、鍔状部２７に連なる軸部２８ａと、この軸部２８ａの反挿入側端部に外径方向に突出するように設けられた鍔状の抜止部２８ｂと、を備えている。
【００３５】
軸部２８ａの径は、水受けタンク１８の係止孔１９の小径状部１９ｂに応じた径とされている。また、抜止部２８ｂの径は、水受けタンク１８の係止孔１９の小径状部１９ｂの径寸法よりも大とされ、大径状部１９ａの径よりも小とされている。
この係止突起２０は、図４（ｂ）に示すように、取付部２１の嵌込部２３を、背板部１６の下穴１６ａに挿入し、突起本体部２５を背板部１６に向けて押圧するようにして、その挿入部２６を取付部２１の貫通孔２２に挿入する。これにより、取付部２１の嵌込部２３が外径方向に拡開し、爪状部２３ａが下穴１６ａの内周面に食い込み、当該係止突起２０を下穴１６ａに取り付けることができる。
また、水受けタンク１８を背板部１６に取り付ける際には、係止突起２０の係止部２８の抜止部２８ｂを水受けタンク１８の係止孔１９の大径状部１９ａに挿通させ、係止突起２０の係止部２８の軸部２８ａに水受けタンクの係止孔１９の小径状部１９ｂを係止させる。
【００３６】
なお、キャビネット１０を構成する各板部は、木質系材料を板状に加工した基材に、適宜、合成樹脂シートや突板等の表面化粧シートを貼着した構成としてもよい。この木質系材料としては、合板やＬＶＬ（単板積層材）等の木製積層板、パーティクルボード等の木質ボード、または、インシュレーションボードやＭＤＦ（中密度繊維板）等の木質繊維板等が挙げられる。また、上記基材としては、上記木質系材料に、木粉や無機フィラー、相溶化剤、着色剤等を所定の含有量で含有させた木粉、プラスチック複合材（ＷＰＣ）や、合成樹脂系材料からなるものとしてもよい。
また、係止突起２０は、例えば、合成樹脂系材料や金属系材料等の比較的に硬質な材料からなるものとしてもよい。
【００３７】
本実施形態に係るキャビネット１０は、上述のような構成としたことで、水受けタンク１８を係止する係止突起２０の取付性を向上させ、かつ汎用性を向上させることができる。
つまり、当該キャビネット１０は、背板部１６に、水受けタンク１８を複数の取付位置に取り付け可能なように、水受けタンク１８を係止する少なくとも二つの係止突起２０が取り付けられる複数の下穴１６ａを設けている。従って、当該キャビネット１０の上方側に配設される天板３０の水槽３１の種類や、吐水ヘッド３８等を備えた水栓具３４の種類、水栓本体部３６の立設位置、キャビネット１０の収納態様（開き収納や抽斗収納）、キャビネット１０内の配管態様（床給水や壁給水）等に対応させて適切な取付位置に水受けタンク１８を取り付けることができる。これにより、キャビネット１０の汎用性を向上させることができる。また、例えば、水槽３１や水栓具３４等を施工後に交換するような際にも、対応可能な構成とすることもできる。
また、係止突起２０を、下穴１６ａを用いて背板部１６に取り付けることができるので、容易かつ精度良く取り付けることができる。
また、このように精度良く背板部１３に取り付けられた少なくとも二つの係止突起２０に水受けタンク１８を係止させることができるので、水受けタンク１８が傾いたりし難く、水受けタンク１８を精度良く背板部１６に取り付けることができる。
【００３８】
また、本実施形態では、係止突起２０を、下穴１６ａに嵌め込まれる取付部２１と、この取付部２１の貫通孔２２に挿入されて取付部２１を拡開させる挿入部２６を設けた突起本体部２５と、を備えたものとしている。従って、取付部２１を下穴１６ａに嵌め込み、突起本体部２５の挿入部２６を取付部２１の貫通孔２２に挿入することで、容易かつ確実に係止突起２０を背板部１６に取り付けることができる。
また、突起本体部２５は、取付部２１の貫通孔２２の開口縁に当接される鍔状部２７の他方側に水受けタンク１８を係止する係止部２８を有している。従って、突起本体部２５の鍔状部２７を取付部２１の貫通孔２２の開口縁に当接させることで、貫通孔２２への挿入部２６の挿入し過ぎや挿入不足等が生じることなく、また、水受けタンク１８が係止される係止部２８を設けることができる。
【００３９】
なお、本実施形態では、単一のキャビネット１０の上方側に単一の天板３０を設けた洗面化粧台１を例示しているが、このような態様に限られない。例えば、本実施形態に係るキャビネット１０を少なくとも含む複数のキャビネットを横並びに設け、その上方側に単一の天板３０を設けた洗面化粧台１としてもよい。
また、本実施形態では、当該キャビネット１０を、洗面化粧台１のキャビネット本体とした例を示したが、このような態様に限られない。例えば、当該キャビネット１０を、キッチンスペース等に配設される厨房家具としての流し台等のキャビネット本体としてもよく、その他、種々の水廻り家具のキャビネット本体としてもよい。
また、本実施形態では、キャビネット１０を、前面側に設けた両開き状の扉１１，１１をそれぞれ前板部１１，１１とし、開き収納とした例を示しているが、このような態様に限定されない。キャビネット１０を、引き出し自在とされた抽斗を設けた抽斗収納とし、この抽斗の前板を前板部としてもよい。または、キャビネット１０を、抽斗収納部と開き収納部とを備えたものとしてもよい。
【００４０】
また、背板部１６の下穴１６ａに取り付けられる係止突起２０としては、上記した例に限られない。例えば、係止突起２０を、背板部１６の下穴１６ａに嵌め込まれる部位と、水受けタンク１８を係止する係止部とを一体的に備えたダボ状の部材としてもよい。または、係止突起２０を、背板部１６の下穴１６ａを用いてねじ込まれるねじ等の止具等としてもよい。この場合は、止具の頭部を係止部としてもよい。
【００４１】
また、本実施形態では、水受けタンク１８を着脱自在に背板部１６に取り付けられる構成とした例を示しているが、水受けタンク１８を、背板部１６に対して着脱不能な構成としてもよい。この場合は、水受けタンク１８の被係止部１９を適宜、変形するようにしてもよく、係止突起２０の構成によっては、ねじ込み等により被係止部となるようなものとしてもよい。
また、本実施形態では、水受けタンク１８に、左右に間隔を空けて２つの被係止部１９，１９を設けた例を示しているが、上下や斜め方向に間隔を空けて複数の被係止部を設けたような態様としてもよい。この場合は、背板部１６の複数の下穴１６ａの位置や個数等を、適宜、変形するようにしてもよい。
【００４２】
また、本実施形態では、複数の下穴１６ａを、背板部１６の左右方向の一方側の上側部に偏在させるように設けた例を示しているが、この態様に限定されない。例えば、水受けタンク１８を、背板部１６の左右方向や上下方向の比較的に離れた異なる箇所に取り付け可能なように、複数の下穴１６ａ，１６ａ対を、背板部１６に離散的に設けるようにしてもよい。
また、本実施形態では、複数の下穴１６ａを、水受けタンク１８を左右方向及び上下方向に複数の取付位置に取り付け可能なように設けた例を示しているが、この態様に限定されない。複数の下穴１６ａを、水受けタンク１８を背板部１６の左右方向及び上下方向の一方のみに複数の取付位置に取り付け可能なように設けるようにしてもよい。
【符号の説明】
【００４３】
１０      キャビネット
１６      背板部
１６ａ    下穴
１８      水受けタンク
２０      係止突起
２１      取付部
２２      貫通孔
２５      突起本体部
２６      挿入部
２７      鍔状部
２８      係止部
３０      天板
３１      洗面ボウル（水槽）
３８      吐水ヘッド
３９      ホース
【図１】
2014196604.tif 000003
【図２】
2014196604.tif 000004
【図３】
2014196604.tif 000005
【図４】
2014196604.tif 000006